(57)【要約】【課題】  無線情報を受信できる待受画面からユーザが必要とする操作や機能に直接に遷移できる優れた操作性を有する通信端末装置および通信情報処理のプログラムを提供する。【解決手段】  制御部１３は、表示部４において着信の待ち受け状態を示す待受画面にアイコン画像を表示し、その表示されているアイコン画像をカーソルスイッチの操作に応じて指定し、指定したアイコン画像に関連する処理対象の候補画像のリストを表示部４に表示する。その候補画像のリストにおける任意の候補画像をカーソルスイッチの操作に応じて選択して、選択した候補画像が決定スイッチの操作に応じて決定された場合には、その選択された候補画像に対する処理を実行する。【選択図】  図１
2005072945.tif 000002
【特許請求の範囲】
【請求項１】
所定の表示手段において着信の待ち受け状態を示す待受画面にアイコン画像を表示するアイコン表示制御手段と、
前記表示手段に表示されているアイコン画像を操作に応じて指定するアイコン指定手段と、
前記アイコン指定手段によって指定されたアイコン画像に関連する処理対象の候補画像のリストを前記表示手段に表示する候補表示制御手段と、
前記候補画像のリストにおける任意の候補画像を操作に応じて選択する候補選択手段と、
前記候補選択手段によって選択された候補画像が操作に応じて決定された場合には当該選択された候補画像に対する処理を実行する処理実行制御手段と、
を備えた通信端末装置。
【請求項２】
前記アイコン表示制御手段は、無線情報を受信したときに当該受信の内容に応じたアイコン画像を前記待受画面に表示することを特徴とする請求項１記載の通信端末装置。
【請求項３】
前記アイコン表示制御手段は、表示したアイコン画像における受信の内容のすべてに対する処理が実行されたときはそのアイコン画像を前記待受画面から消去することを特徴とする請求項２記載の通信端末装置。
【請求項４】
前記アイコン表示制御手段は、表示指示の操作に応じて当該操作に係るアイコン画像を前記待受画面に表示し、消去指示の操作に応じて当該操作に係るアイコン画像を前記待受画面から消去することを特徴とする請求項１記載の通信端末装置。
【請求項５】
前記候補表示制御手段は、前記アイコン指定手段によって指定されたアイコン画像に関連する候補画像のリストを前記待受画面の上に重畳したポップアップ画像として表示して、当該ポップアップ画像内に前記指定されたアイコン画像に関連する処理対象の候補画像のリストを表示することを特徴とする請求項１記載の通信端末装置。
【請求項６】
所定の表示手段において着信の待ち受け状態を示す待受画面にアイコン画像を表示する第１のステップと、
前記表示手段に表示されているアイコン画像を操作に応じて指定する第２のステップと、
前記第２のステップによって指定されたアイコン画像に関連する処理対象の候補画像のリストを前記表示手段に表示する第３のステップと、
前記候補画像のリストにおける任意の候補画像を操作に応じて選択する第４のステップと、
前記第４のステップによって選択された候補画像が操作に応じて決定された場合には当該選択された候補画像に対する処理を実行する第５のステップと、
を実行する通信情報処理のプログラム。
【請求項７】
前記第１のステップは、無線情報を受信したときに当該受信の内容に応じたアイコン画像を前記待受画面に表示することを特徴とする請求項６記載の通信情報処理のプログラム。
【請求項８】
前記第１のステップは、表示したアイコン画像における受信の内容のすべてに対する処理が実行されたときはそのアイコン画像を前記待受画面から消去することを特徴とする請求項７記載の通信情報処理のプログラム。
【請求項９】
前記第１のステップは、表示指示の操作に応じて当該操作に係るアイコン画像を前記待受画面に表示し、消去指示の操作に応じて当該操作に係るアイコン画像を前記待受画面から消去することを特徴とする請求項５又は７記載の通信情報処理のプログラム。
【請求項１０】
前記第３のステップは、前記第２のステップによって指定されたアイコン画像に関連する候補画像のリストを前記待受画面の上に重畳したポップアップ画像として表示して、当該ポップアップ画像内に前記指定されたアイコン画像に関連する処理対象の候補画像のリストを表示することを特徴とする請求項１６記載の通信情報処理のプログラム。
【発明の詳細な説明】
【技術分野】
【０００１】
本発明は、通信端末装置および通信情報処理のプログラムに関し、特に、表示部の画面にアイコン画像を表示する通信端末装置および通信情報処理のプログラムに関するものである。
【背景技術】
【０００２】
近年、携帯電話などの通信端末装置においては、液晶表示パネルなどからなる表示部の高精細化および豊富な色彩表示、並びに、画像表示デバイスの高精度化によって、きめ細かで鮮明な画像を表示することができるようになってきた。その結果、表示部の画面に多種多様なアイコン画像を表示して操作の利便性が図られている。例えば、ある提案によれば、複数のメニュー階層表示画面に分けて切替え表示する表示部を備える移動体通信機器において、目的とする機能を選択して設定を完了するまでの操作を短縮することと、アイコン等の表示体と表示場所を変更でき、ユーザーが機能を連想することのできる表示体で、しかも分かりやすく感じる表示体を表示することを可能にしている。
【０００３】
この提案において、各種機能設定のために複数の表示体（アイコン等）を、複数のメニュー階層表示画面に分けて切替え表示する表示部を備える移動体通信機器において、当初操作する階層表示画面から、他の階層表示画面を経由することなく、求める表示体の操作画面へと遷移させる機能を備えて構成される。さらに、この遷移させる機能は、当初操作する階層表示画面から、他の階層表示画面を経由することなく、求める表示体の操作を完結させる処理画面又は完結直前の処理画面へと遷移させるショートカット機能、すなわち、何段階かの操作を一度の操作で行える機能である。当初操作する階層表示画面とは、発明の実施の形態の図１に記載されているように、待ち受け画面から移行したショートカットメニュー画面により構成されており、このショートカットメニュー画面からの画面が遷移するイメージが示されている。このショートカットメニューへの登録が１機能でもある場合には、待ち受け画面から移行させるのに、例えば、MODE／ＳＥＴキー等の操作キーを押下するなどによってトリガを与えることにより、ショートカットメニューへと遷移させる。さらに、具体的な実施形態として、アイコン変更、アイコン位置変更、およびショートカット解除の例が記載されている。（特許文献１参照）
【特許文献１】特開２００２−１９９０８１号公報（段落番号「０００５」、「０００７」、「００１５」）
【発明の開示】
【発明が解決しようとする課題】
【０００４】
しかしながら、上記特許文献１に記載された提案においては、待受画面から直接に選択された機能に移行する構成にはなっていない。スイッチ操作によって待受画面からいったんアイコン画像の表示画面であるショートカットメニュー画面に遷移した後に、スイッチ操作によって所望のアイコン画像を決定した後に、選択された機能に移行するような発明の構成について記載されている。もっとも、具体的な実施形態としては、上記したように、アイコン変更、アイコン位置変更、およびショートカット解除の例が記載されているだけであり、ショートカットメニュー画面からどのような操作によって選択された機能に移行するかについては記載されていない。一般的に、操作によって選択された機能に移行する動作を説明するために最適な方法はフローチャートである。すなわち、上記特許文献１においては、図１に示されているように、待受けからショートカットメニューに突入し、基本メニューに突入することなく、一連の操作が完結するという概念が記載されているが、その具体的な動作手順については記載されていない。したがって、この文献において従来例として挙げられている図６の動作手順を改良するに足るだけの構成にはなっていない。
【０００５】
本発明は、上記従来の課題を解決するためのものであり、無線情報を受信できる待受画面からユーザが必要とする操作や機能に直接に遷移できる優れた操作性を有する通信端末装置および通信情報処理のプログラムを提供することを目的とする。
【課題を解決するための手段】
【０００６】
請求項１記載の通信端末装置の発明は、所定の表示手段（実施形態においては、図１の表示部４に相当する）において着信の待ち受け状態を示す待受画面にアイコン画像を表示するアイコン表示制御手段（実施形態においては、図１の制御部１３に相当する）と、表示手段に表示されているアイコン画像を操作に応じて指定するアイコン指定手段（実施形態においては、図１の制御部１３に相当する）と、アイコン指定手段によって指定されたアイコン画像に関連する処理対象の候補画像のリストを表示手段に表示する候補表示制御手段（実施形態においては、図１の制御部１３に相当する）と、候補画像のリストにおける任意の候補画像を操作に応じて選択する候補選択手段（実施形態においては、図１の制御部１３に相当する）と、候補選択手段によって選択された候補画像が操作に応じて決定された場合には当該選択された候補画像に対する処理を実行する処理実行制御手段（実施形態においては、図１の制御部１３に相当する）と、を備えた構成になっている。
【０００７】
請求項１の発明において、請求項２に記載したように、アイコン表示制御手段は、無線情報を受信したときに当該受信の内容に応じたアイコン画像（実施形態においては、図１４の着信アイコン４４に相当する）を待受画面に表示するような構成にしてもよい。
さらに、この場合において、請求項３に記載したように、アイコン表示制御手段は、表示したアイコン画像における受信の内容のすべてに対する処理が実行されたときはそのアイコン画像を待受画面から消去するような構成にしてもよい。
また、請求項１の発明において、請求項４に記載したように、アイコン表示制御手段は、表示指示の操作に応じて当該操作に係るアイコン画像（実施形態においては、図１４のピクト４２に相当する）を待受画面に表示し、消去指示の操作に応じて当該操作に係るアイコン画像を待受画面から消去するような構成にしてもよい。
また、請求項１の発明において、請求項５に記載したように、候補表示制御手段は、アイコン指定手段によって指定されたアイコン画像に関連する候補画像のリストを待受画面の上に重畳したポップアップ画像（実施形態においては、図１４の画像４５に相当する）として表示して、当該ポップアップ画像内に指定されたアイコン画像に関連する処理対象の候補画像のリストを表示するような構成にしてもよい。
【０００８】
請求項６に記載の通信情報処理のプログラムは、所定の表示手段（実施形態においては、図１の表示部４に相当する）において着信の待ち受け状態を示す待受画面にアイコン画像を表示する第１のステップと、表示手段に表示されているアイコン画像を操作に応じて指定する第２のステップと、第２のステップによって指定されたアイコン画像に関連する処理対象の候補画像のリストを表示手段に表示する第３のステップと、候補画像のリストにおける任意の候補画像を操作に応じて選択する第４のステップと、第４のステップによって選択された候補画像が操作に応じて決定された場合には当該選択された候補画像に対する処理を実行する第５のステップと、を実行する構成になっている。この場合において、第１のステップないし第５のステップは、実施形態においては、図１の制御部１３の処理に相当する。
【０００９】
請求項６の発明において、請求項７に記載したように、第１のステップは、無線情報を受信したときに当該受信の内容に応じたアイコン画像（実施形態においては、図１４の着信アイコン４４に相当する）を待受画面に表示するような構成にしてもよい。
さらにこの場合において、請求項８に記載したように、第１のステップは、表示したアイコン画像における受信の内容のすべてに対する処理が実行されたときはそのアイコン画像を待受画面から消去するような構成にしてもよい。
また、請求項６の発明において、請求項９に記載したように、第１のステップは、表示指示の操作に応じて当該操作に係るアイコン画像（実施形態においては、図１４のピクト４２に相当する）を待受画面に表示し、消去指示の操作に応じて当該操作に係るアイコン画像を待受画面から消去するような構成にしてもよい。
また、請求項６の発明において、請求項１０に記載したように、第３のステップは、第２のステップによって指定されたアイコン画像に関連する候補画像のリストを待受画面の上に重畳したポップアップ画像（実施形態においては、図１４の画像４５に相当する）として表示して、当該ポップアップ画像内に指定されたアイコン画像に関連する処理対象の候補画像のリストを表示するような構成にしてもよい。
【発明の効果】
【００１０】
本発明の通信端末装置および通信情報処理のプログラムは、無線情報を受信できる待受画面からユーザが必要とする操作や機能に直接に遷移できる優れた操作性を有するという効果が得られる。
【発明を実施するための最良の形態】
【００１１】
以下、本発明による通信端末装置の実施形態について、携帯電話を例に採って図を参照して説明する。
図１は、実施形態における携帯電話の構成を示すブロック図である。まず、機構的な構成について説明する。携帯電話１の本体ケース（図示せず）には、送受信のアンテナ２、音声発生用のスピーカ３、カラー液晶などからなる表示部４、スイッチ入力部５、音声入力用のマイク６、着脱自在な記憶媒体でデータの読み出しおよび書き込みが可能なメモリカード７、発光で着信を通知する背面表示部８、リンガ音で着信を通知するスピーカ９が設けられている。
【００１２】
スイッチ入力部５には、ダイヤルスイッチと兼用の文字入力スイッチ、クリアスイッチ、カーソルスイッチ、画面において選択されたアイコン画像を決定する決定スイッチ、発信スイッチなど（いずれも図示せず）のほかに、オフフックスイッチ５１およびオンフックスイッチ５２が設けられている。また、背面表示部８は、透明又は半透明の部材で構成され、着信に応じて点滅するＬＥＤ８１を内蔵している。また、振動によって着信を通知するバイブレータ１０が本体ケースに内蔵されている。
【００１３】
次に、電気的な構成について説明する。無線送受信部１１は、アンテナ２を介して、変調された音声やデータを送信又は受信する。無線信号処理部１２は、無線送受信部１１によって受信された音声やデータを復調し、無線送受信部１１によって送信される音声やデータを変調する。制御部１３は、システムバスを介してコマンドおよびデータの授受を行ってこの装置全体を制御する。また、内部にタイマ１３１を備えている。
【００１４】
加入者情報記憶部１４は、アドレス帳エリア、着信履歴エリア、発信履歴エリアなどで構成されている。システムＲＯＭ１５は、制御部１３によって実行される通信制御処理のプログラム、合成音声データ、種々の初期データなどを記憶している。メモリ１６は、制御部１３によって処理されるデータを一時的に記憶するワークエリアであり、各種のレジスタやフラグのエリアが設けられている。
【００１５】
音声信号処理部１７は、通話中の音声信号や合成音声データの音声信号をディジタルからアナログに変換してスピーカ３に与えて発音させるとともに、マイク６からの音声信号をアナログからディジタルに変換して制御部１３に入力する。ドライバ１８は、背面キー８のＬＥＤ８１、スピーカ９、およびバイブレータ１０を駆動する。ドライバ１９は、表示部４を駆動する。ドライバ２０は、メモリカード７を駆動する。
【００１６】
次に、図１の構成による実施形態の動作について、図２ないし図１３に示す制御部１３の動作フローチャート、並びに、図１４および図１５に示す表示部４の画面を参照して説明する。
図２において、所定のイニシャライズ（ステップＳＡ１）の後、待受画面を表示する（ステップＳＡ２）。次に、待受画面にショートカット又はピクト表示があるか否かを判別する（ステップＳＡ３）。図１４（１）に待受画面の例を示す。画面の上部には、電波の強弱、電池残量、現在時間を示すアイコン画像であるピクト４１が表示され、画面の下部には、アラーム設定、音／バイブ設定、音量設定などのアイコン画像であるピクト４２が表示され、背景画面（この場合は、カレンダ）に重ねてアイコン画像であるショートカット４３が表示される。このようなショートカット又はピクト表示がある場合には、いずれかのショートカット又はピクトが選択されたか否かを判別する（ステップＳＡ４）。いずれか選択されたときは、選択されたのは新着アイコンであるか否かを判別し（ステップＳＡ５）、新着アイコンであるときは、ポップアップリストを表示して（ステップＳＡ６）、リストのいずれかにフォーカス表示を行う（ステップＳＡ７）。
【００１７】
フォーカス表示とは、アイコン画像やリストを指定することによって、表示が他のアイコン画像やリストとは異なる表示態様に変わる状態である。フォーカス表示されたアイコンは選択アイコンとなる。図１４（２）は、何らかの着信があったときに新たに表示された着信アイコン４４をフォーカス表示した状態を示す図である。このように、新たに表示されたアイコン画像をフォーカス表示する場合もあれば、後述するように、先頭位置のアイコン画像又はカーソルスイッチによって選択されたアイコン画像をフォーカス表示する場合もある。図１４（３）は、選択された着信アイコン４４についてポップアップ画像４５を表示した状態を示す図である。ポップアップ画像４５内には着信一覧のリストが表示され、先頭位置のＥメールのリストがフォーカス表示されている。
【００１８】
図２において、カーソルスイッチがオンされたか否かを判別し（ステップＳＡ８）、このスイッチがオンされたときは、カーソルスイッチの移動方向に対応してフォーカス位置を移動する（ステップＳＡ９）。次に、決定スイッチがオンされたか否かを判別し（ステップＳＡ１０）、このスイッチがオンされない場合には、クリアスイッチがオンされたか否かを判別する（ステップＳＡ１１）。クリアスイッチがオンでない場合には、ステップＳＡ８に移行してカーソルスイッチがオンされたか否かを判別するが、クリアスイッチがオンされたときは、ステップＳＡ２に移行して待受画面を表示する。ステップＳＡ１０において、決定スイッチがオンされたときは、そのときフォーカス表示されているリストの内容に応じた処理を行う。
【００１９】
すなわち、図３のフローチャートにおいて、リストの内容がＥメールであるか否かを判別し（ステップＳＡ１２）、Ｅメールである場合にはＥメール受信ＢＯＸ処理を行う（ステップＳＡ１３）。リストがＥメールでない場合には、リストの内容が文字情報の着信メール（以下、「Ｃメール」という）であるか否かを判別し（ステップＳＡ１４）、Ｃメールである場合にはCメール処理を行う（ステップＳＡ１５）。Ｃメールでない場合には、リストの内容が「着信あり」であるか否かを判別し（ステップＳＡ１６）、「着信あり」である場合には着信履歴処理を行う（ステップＳＡ１７）。「着信あり」でない場合には、リストの内容が「伝言あり」であるか否かを判別し（ステップＳＡ１８）、「伝言あり」である場合には伝言メッセージ一覧表示処理を行う（ステップＳＡ１９）。リストの内容に応じていずれかの処理を行った後は、図２のフローチャートにおけるステップＳＡ６に移行して、再びポップアップリストを表示する。
【００２０】
図２のフローチャートのステップＳＡ５において、選択されたのが新着アイコンでない場合には、図４のフローチャートにおいて、選択されたのはアラームアイコンであるか否かを判別する（ステップＳＡ２０）。アラームアイコンが選択されたときは、ポップアップ画像を表示して（ステップＳＡ２１）、ポップアップ画像の表示内に代表設定内容を表示する（ステップＳＡ２２）。すなわち、図１５（１）に示すように、アラームアイコンのピクト４６が選択された場合には、図１５（２）に示すように、ポップアップ画像４７の表示内に、時刻アラームとして最初に設定された内容である「時刻アラーム、毎日９時ａｍ」を表示する。
【００２１】
次に、決定スイッチがオンされたか否かを判別し（ステップＳＡ２３）、このスイッチがオンでない場合には、クリアスイッチがオンされたか否かを判別する（ステップＳＡ２４）。クリアスイッチがオンでない場合には、ステップＳＡ２３に移行して、決定スイッチがオンされたか否かを判別するが、クリアスイッチがオンされたときは、図２のステップＳＡ２に移行して再び待受画面を表示する。ステップＳＡ２３において、決定スイッチがオンされたときは、アラーム編集処理を実行して（ステップＳＡ２５）、ステップＳＡ２１に移行して再びポップアップ画像を表示する。ステップＳＡ２０において、選択されたのがアラームアイコンでない場合には、他のアイコンが選択されたか否かを判別する（ステップＳＡ２６）。他のアイコンが選択されたときは、そのアイコンに対応する他の処理を実行する（ステップＳＡ２７）。そして、図２のステップＳＡ２に移行して再び待受画面を表示する。
【００２２】
図２のフローチャートのステップＳＡ３において、待受画面にショートカットおよびピクト表示がない場合、又は、待受画面にショートカットおよびピクト表示がある場合に、ステップＳＡ４において、ショートカットおよびピクトのいずれも選択されない場合には、図５のフローチャートにおいて、機能スイッチがオンされたか否かを判別する（ステップＳＡ２８）。このスイッチがオンされたときは、機能メニュー画面を表示する（ステップＳＡ２９）。そして、いずれかのアイコン（例えば、画面の先頭のアイコン又は前回選択されたアイコンなど）にフォーカス表示する（ステップＳＡ３０）。
【００２３】
次に、カーソルスイッチがオンされたか否かを判別し（ステップＳＡ３１）、このスイッチがオンされたときは、カーソルスイッチの移動方向に対応してフォーカス位置を移動する（ステップＳＡ３２）。次に、決定スイッチがオンされたか否かを判別し（ステップＳＡ３３）、このスイッチがオンされない場合には、クリアスイッチがオンされたか否かを判別する（ステップＳＡ３４）。クリアスイッチがオンでない場合には、ステップＳＡ３１に移行してカーソルスイッチがオンされたか否かを判別するが、クリアスイッチがオンされたときは、図２のステップＳＡ２に移行して待受画面を表示する。ステップＳＡ３３において、決定スイッチがオンされたときは、そのときフォーカス表示されている選択アイコンの内容に応じた処理を行う。
【００２４】
選択アイコンがＥメールであるか否かを判別し（ステップＳＡ３５）、Ｅメールである場合にはＥメール処理を実行する（ステップＳＡ３６）。選択アイコンがＥメールでない場合には、選択アイコンがアラームであるか否かを判別し（ステップＳＡ３７）、アラームである場合にはアラーム処理を実行する（ステップＳＡ３８）。選択アイコンがアラームでない場合には、選択アイコンが履歴であるか否かを判別し（ステップＳＡ３９）、履歴である場合には履歴処理を実行する（ステップＳＡ４０）。選択アイコンが履歴でない場合には、選択アイコンがＣメールであるか否かを判別し（ステップＳＡ４１）、Ｃメールである場合にはＣメール処理を実行する（ステップＳＡ４２）。選択アイコンがＣメールでない場合には、選択アイコンが伝言メッセージであるか否かを判別し（ステップＳＡ４３）、伝言メッセージである場合には伝言メッセージ処理を実行する（ステップＳＡ４４）。選択アイコンが伝言メッセージでない場合には、選択アイコンがその他のアイコンであるか否かを判別し（ステップＳＡ４５）、その他のアイコンである場合にはその他の処理を実行する（ステップＳＡ４６）。選択アイコンに応じていずれかの処理を実行した後は、ステップＳＡ２９に移行して、再び機能メニュー画面を表示する。
【００２５】
ステップＳＡ２８において、機能スイッチがオンでない場合には、図６のフローチャートにおいて、オフフックスイッチがオンされたか否かを判別する（ステップＳＡ４７）。このスイッチがオンされたときは、番号入力処理を行い（ステップＳＡ４８）、発信処理を行って（ステップＳＡ４９）、発信履歴に追加する（ステップＳＡ５０）。すなわち、入力された相手先の番号を表示し、発信スイッチがオンされたときは、その相手先の番号を発信履歴に追加する。そしてその番号に対して発呼する。この発呼に伴って呼出報知を行う（ステップＳＡ５１）。この後は、相手先との間で接続が確立したか否かを判別し（ステップＳＡ５２）、接続が確立したときは呼出報知を停止して通話処理に遷移する（ステップＳＡ５３）。この通話処理中において、オンフックスイッチがオンされたか否かを判別し（ステップＳＡ５４）、このスイッチがオンされたときは、図２のステップＳＡ２に移行して待受画面を表示する。
【００２６】
ステップＳＡ４７において、オフフックスイッチがオンでない場合には、電話の着信検知があったか否かを判別する（ステップＳＡ５５）。着信検知があったときは、着信履歴に追加して（ステップＳＡ５６）、着信報知を行う（ステップＳＡ５７）。そして、オフフックスイッチがオンされたか否かを判別する（ステップＳＡ５８）。このスイッチがオンされたときは着信報知を停止して通話処理に遷移する（ステップＳＡ５９）。この通話処理中において、オンフックスイッチがオンされたか否かを判別し（ステップＳＡ６０）、このスイッチがオンされたときは、図２のステップＳＡ２に移行して待受画面を表示する。
【００２７】
ステップＳＡ５５において、電話の着信検知がない場合には、Ｅメールの着信検知があったか否かを判別する（ステップＳＡ６１）。Ｅメールの着信検知があったときは、Ｅメール着信報知を行って（ステップＳＡ６２）、Ｅメール受信ＢＯＸにストアする（ステップＳＡ６３）。次に、図１４（２）に示すように、待受画面に着信アイコン４４を表示する（ステップＳＡ６４）。そして、図２のステップＳＡ２に移行して待受画面を表示する。
【００２８】
ステップＳＡ６１においてＥメール着信がない場合には、Ｃメールの着信検知があったか否かを判別する（ステップＳＡ６５）。Ｃメールの着信検知があったときは、Ｃメール着信報知を行って（ステップＳＡ６６）、Ｃメール受信ＢＯＸにストアする（ステップＳＡ６７）。次に、Ｅメールの場合と同じく、図１４（２）に示すように、待受画面に着信アイコン４４を表示する（ステップＳＡ６８）。そして、図２のステップＳＡ２に移行して待受画面を表示する。
【００２９】
図７は、図５のフローチャートにおけるステップＳＡ３６のＥメール処理のフローチャートである。まず、Ｅメールリスト画面を表示して（ステップＳＢ１）、所定のリスト（例えば、先頭のリスト）にフォーカス表示する（ステップＳＢ２）。次に、カーソルスイッチがオンされたか否かを判別し（ステップＳＢ３）、このスイッチがオンされたときは、カーソルスイッチの移動方向に対応してフォーカス位置を移動する（ステップＳＢ４）。次に、決定スイッチがオンされたか否かを判別し（ステップＳＢ５）、このスイッチがオンされない場合には、クリアスイッチがオンされたか否かを判別する（ステップＳＢ６）。クリアスイッチがオンでない場合には、ステップＳＢ３に移行してカーソルスイッチがオンされたか否かを判別するが、クリアスイッチがオンされたときは、図５のフローチャートのステップＳＡ２９に移行して機能メニュー画面を表示する。
【００３０】
一方、ステップＳＢ５において、決定スイッチがオンされたときは、そのときフォーカス表示されている選択リストの内容に応じた処理を行う。選択リストが受信ＢＯＸであるか否かを判別し（ステップＳＢ７）、受信ＢＯＸである場合には、Ｅメール受信ＢＯＸ処理を行う（ステップＳＢ８）。選択リストが受信ＢＯＸでない場合には、選択リストが送信ＢＯＸなど、その他であるか否かを判別し（ステップＳＢ９）、その他の場合にはその他の処理を行う（ステップＳＢ１０）。Ｅメール受信ＢＯＸ処理又はその他の処理を行った後は、ステップＳＢ１に移行して、再びＥメールリスト画面を表示する。
【００３１】
図８は、図５のフローチャートにおけるステップＳＡ４２のＣメール処理のフローチャートである。まず、Ｃメールリスト画面を表示して（ステップＳＣ１）、所定のリスト（例えば、先頭のリスト）にフォーカス表示する（ステップＳＣ２）。次に、カーソルスイッチがオンされたか否かを判別し（ステップＳＣ３）、このスイッチがオンされたときは、カーソルスイッチの移動方向に対応してフォーカス位置を移動する（ステップＳＣ４）。次に、決定スイッチがオンされたか否かを判別し（ステップＳＣ５）、このスイッチがオンされない場合には、クリアスイッチがオンされたか否かを判別する（ステップＳＣ６）。クリアスイッチがオンでない場合には、ステップＳＣ３に移行してカーソルスイッチがオンされたか否かを判別するが、クリアスイッチがオンされたときは、図５のフローチャートのステップＳＡ２９に移行して機能メニュー画面を表示する。
【００３２】
一方、ステップＳＣ５において、決定スイッチがオンされたときは、そのときフォーカス表示されている選択リストの内容に応じた処理を行う。選択リストが受信ＢＯＸであるか否かを判別し（ステップＳＣ７）、受信ＢＯＸである場合には、Ｃメール受信ＢＯＸ処理を行う（ステップＳＣ８）。選択リストが受信ＢＯＸでない場合には、選択リストが送信ＢＯＸなど、その他であるか否かを判別し（ステップＳＣ９）、その他の場合にはその他の処理を行う（ステップＳＣ１０）。Ｃメール受信ＢＯＸ処理又はその他の処理を行った後は、ステップＳＣ１に移行して、再びＣメールリスト画面を表示する。
【００３３】
図９は、図５のフローチャートにおけるステップＳＡ４０の履歴処理のフローチャートである。まず、履歴リスト画面を表示して（ステップＳＤ１）、所定のリスト（例えば、先頭のリスト）にフォーカス表示する（ステップＳＤ２）。次に、カーソルスイッチがオンされたか否かを判別し（ステップＳＤ３）、このスイッチがオンされたときは、カーソルスイッチの移動方向に対応してフォーカス位置を移動する（ステップＳＤ４）。次に、決定スイッチがオンされたか否かを判別し（ステップＳＤ５）、このスイッチがオンされない場合には、クリアスイッチがオンされたか否かを判別する（ステップＳＤ６）。クリアスイッチがオンでない場合には、ステップＳＤ３に移行してカーソルスイッチがオンされたか否かを判別するが、クリアスイッチがオンされたときは、図５のフローチャートのステップＳＡ２９に移行して機能メニュー画面を表示する。
【００３４】
一方、ステップＳＤ５において、決定スイッチがオンされたときは、そのときフォーカス表示されている選択リストの内容に応じた処理を行う。選択リストが着信履歴であるか否かを判別し（ステップＳＤ７）、着信履歴である場合には、着信履歴処理を行う（ステップＳＤ８）。選択リストが着信履歴でない場合には、送信履歴など、その他であるか否かを判別し（ステップＳＤ９）、その他の場合にはその他の処理を行う（ステップＳＤ１０）。着信履歴処理又はその他の処理を行った後は、ステップＳＤ１に移行して、再び履歴リスト画面を表示する。
【００３５】
図１０は、図５のフローチャートにおけるステップＳＡ３８のアラーム処理のフローチャートである。まず、アラームリスト画面を表示して（ステップＳＥ１）、所定のリストにフォーカス表示する（ステップＳＥ２）。すなわち、図１５（２）に示すように、ポップアップ画像４７の表示内に、時刻アラームとして最初に設定された内容である「時刻アラーム、毎日９時ａｍ」が表示されている状態で、決定スイッチがオンされたときは、図１５（３）に示すようなアラームリスト画面を表示する。そして、先頭位置のリストをフォーカス表示する。次に、カーソルスイッチがオンされたか否かを判別し（ステップＳＥ３）、このスイッチがオンされたときは、カーソルスイッチの移動方向に対応してフォーカス位置を移動する（ステップＳＥ４）。次に、決定スイッチがオンされたか否かを判別し（ステップＳＥ５）、このスイッチがオンされない場合には、クリアスイッチがオンされたか否かを判別する（ステップＳＥ６）。クリアスイッチがオンでない場合には、ステップＳＥ３に移行してカーソルスイッチがオンされたか否かを判別するが、クリアスイッチがオンされたときは、図５のフローチャートのステップＳＡ２９に移行して機能メニュー画面を表示する。
【００３６】
一方、ステップＳＥ５において、決定スイッチがオンされたときは、そのときフォーカス表示されている選択リストの内容に応じた処理を行う。この場合の選択候補リストとしては、図１５（３）の画面の下側に示されているアラーム編集、表示、サブメニューがある。選択リストがアラーム編集であるか否かを判別し（ステップＳＥ７）、アラーム編集である場合には、アラーム編集処理を行う（ステップＳＥ８）。選択リストがアラーム編集でない場合には、選択アイコンがその他（表示又はサブメニュー）であるか否かを判別し（ステップＳＥ９）、その他の場合にはその他の処理を行う（ステップＳＥ１０）。アラーム編集処理又はその他の処理を行った後は、ステップＳE１に移行して、再びアラームリスト画面を表示する。
【００３７】
図１１は、図５のフローチャートにおけるステップＳＡ４４の伝言メッセージ処理のフローチャートである。まず、伝言リスト画面を表示して（ステップＳＦ１）、所定のリスト（例えば、先頭のリスト）にフォーカス表示する（ステップＳＦ２）。次に、カーソルスイッチがオンされたか否かを判別し（ステップＳＦ３）、このスイッチがオンされたときは、カーソルスイッチの移動方向に対応してフォーカス位置を移動する（ステップＳＦ４）。次に、決定スイッチがオンされたか否かを判別し（ステップＳＦ５）、このスイッチがオンされない場合には、クリアスイッチがオンされたか否かを判別する（ステップＳＦ６）。クリアスイッチがオンでない場合には、ステップＳＦ３に移行してカーソルスイッチがオンされたか否かを判別するが、クリアスイッチがオンされたときは、図５のフローチャートのステップＳＡ２９に移行して機能メニュー画面を表示する。
【００３８】
一方、ステップＳＦ５において、決定スイッチがオンされたときは、そのときフォーカス表示されている選択リストの内容に応じた処理を行う。選択リストが一覧であるか否かを判別し（ステップＳＦ７）、一覧である場合には、一覧表示処理を行う（ステップＳＦ８）。選択リストが一覧でない場合には、選択アイコンがその他であるか否かを判別し（ステップＳＦ９）、その他の場合にはその他の処理を行う（ステップＳＦ１０）。一覧表示処理又はその他の処理を行った後は、ステップＳＦ１に移行して、再び伝言リスト画面を表示する。
【００３９】
図１２は、図４のフローチャートにおけるステップＳＡ２５、および、図１０のフローチャートにおけるステップＳＥ８のアラーム編集処理のフローチャートである。まず、アラーム編集画面を表示する（ステップＳＧ１）。また、所定のリストの項目（例えば、時刻表示の項目）にフォーカス表示する（ステップＳＧ２）。アラーム編集画面には、図１５（３）のアラームリスト画面で選択されたアラーム時刻のリスト個別に又は表示色などを変えて他のリストと区別された状態で表示される。次に、カーソルスイッチがオンされたか否かを判別し（ステップＳＧ３）、このスイッチがオンされたときは、カーソルスイッチの移動方向に対応してフォーカス位置を移動する（ステップＳＧ４）。次に、データ入力がされたか否かを判別し（ステップＳＧ５）、データ入力がされたときは、フォーカス位置に入力データを表示する（ステップＳＧ６）。
【００４０】
次に、アラーム設定がオンであるか否かを判別する（ステップＳＧ７）。アラーム設定がオンである場合には、対応するフラグをセットするなどのオン処理を行って（ステップＳＧ８）、フォーカス位置をオン表示にする（ステップＳＧ９）。また、待受画面のピクトにアラームのアイコンを表示する（ステップＳＧ１０）。ステップＳＧ７において、アラーム設定がオンでない場合には、アラーム設定がオフであるか否かを判別する（ステップＳＧ１１）。アラーム設定がオフである場合には、対応するフラグをリセットするなどのオフ処理を行って（ステップＳＧ１２）、フォーカス位置をオフ表示にする（ステップＳＧ１３）。また、待受画面のピクトからアラームのアイコンを消去する（ステップＳＧ１４）。
【００４１】
待受画面のピクトにアラームのアイコンを表示した後、又は、待受画面のピクトからアラームのアイコンを消去した後は、決定スイッチがオンされたか否かを判別する（ステップＳＧ１５）。このスイッチがオンされない場合には、クリアスイッチがオンされたか否かを判別する（ステップＳＧ１６）。クリアスイッチがオンでない場合には、ステップＳＧ３に移行してカーソルスイッチがオンされたか否かを判別するが、クリアスイッチがオンされたときは、図１０のステップＳＥ１に移行してアラームリスト画面を表示する。ステップＳＧ１５において、決定スイッチがオンされたときは、ステップＳＧ１に移行してアラーム編集画面の表示に戻る。
【００４２】
図１３は、図７のＥメール処理のフローチャートにおけるステップＳＢ８のＥメール受信ＢＯＸ処理のフローチャートである。まず、受信メールリストを表示し（ステップＳＨ１）、未読メールのみ表示を変更する（ステップＳＨ２）。また、所定のメール（例えば、最新の受信メール）にフォーカス表示する（ステップＳＨ３）。次に、カーソルスイッチがオンされたか否かを判別し（ステップＳＨ４）、このスイッチがオンされたときは、カーソルスイッチの移動方向に対応してフォーカス位置を移動する（ステップＳＨ５）。次に、決定スイッチがオンされたか否かを判別し（ステップＳＨ６）、このスイッチがオンされない場合には、クリアスイッチがオンされたか否かを判別する（ステップＳＨ７）。クリアスイッチがオンでない場合には、ステップＳＨ４に移行してカーソルスイッチがオンされたか否かを判別するが、クリアスイッチがオンされたときは、図７のステップＳＢ１に移行してＥメールリスト画面を表示する。
【００４３】
ステップＳＨ６において、決定スイッチがオンされたときは、そのときフォーカス表示されているＥメールリストを開封処理する（ステップＳＨ８）。そして、開封したＥメールを既読メールとする（ステップＳＨ９）。次に、未読メールなしか否かを判別する（ステップＳＨ１０）。未読メールがない場合には、図１４（２）に示す待受画面から新着メールのショートカットであるアイコン画像４４を消去する（ステップＳＨ１１）。すなわち、図１４（１）に示す待受画面に表示を変える。ステップＳＨ１１の後又はステップＳＨ１０において未読メールがある場合には、クリアスイッチがオンされたか否かを判別する（ステップＳＨ１２）。クリアスイッチがオンでない場合には、ステップＳＨ１０に移行して未読メールの有無を判別するが、クリアスイッチがオンされたときは、ステップＳＨ１に移行して受信メールリスト画面の表示に戻る。
【００４４】
図８のＣメール処理のフローチャートにおけるステップＳＣ８のＣメール受信ＢＯＸ処理のフローチャートは図１３のフローチャートと同じであるので、図面については省略する。すなわち、Ｃメール受信ＢＯＸ処理においても、まず、受信メールリストを表示し、未読メールのみ表示を変更する。また、所定のメールにフォーカス表示して、カーソルスイッチの移動方向に対応してフォーカス位置を移動する。そして、決定スイッチがオンされたときは、そのときフォーカス表示されているＣメールリストを開封処理する。そして、開封したCメールを既読メールとする。開封によって未読メールがなくなった場合には、待受画面からアイコン画像を消去する。
【００４５】
以上のように、この実施形態によれば、制御部１３は、表示部４において着信の待ち受け状態を示す待受画面にアイコン画像を表示し、その表示されているアイコン画像をカーソルスイッチの操作に応じて指定し、指定したアイコン画像に関連する処理対象の候補画像のリストを表示部４に表示する。その候補画像のリストにおける任意の候補画像をカーソルスイッチの操作に応じて選択して、選択した候補画像が決定スイッチの操作に応じて決定された場合には、その選択された候補画像に対する処理を実行する。したがって、無線情報を受信できる待受画面からユーザが必要とする操作や機能に直接に遷移できる優れた操作性を有する通信端末装置が得られる。
【００４６】
また、上記実施形態において、制御部１３は、無線情報を受信したときにその受信の内容に応じたアイコン画像を待受画面に表示する。したがって、ユーザの処理が必要な場合にアイコン画像を表示することにより、ユーザに対して新たな情報の受信を明確に報知することができる。さらに、制御部１３は、表示したアイコン画像における受信の内容のすべてに対する処理が実行されたときは、そのアイコン画像を待受画面から消去する。したがって、待受画面が無駄なアイコン画像によって見づらくなるのを防止できる。
【００４７】
また、上記実施形態において、制御部１３は、表示指示の操作に応じてその操作に係るアイコン画像を待受画面に表示し、消去指示の操作に応じてその操作に係るアイコン画像を待受画面から消去する。したがって、ユーザは自分の好みや必要性に応じて、表示するアイコン画像を自由に取捨選択できる。
【００４８】
また、上記実施形態において、制御部１３は、指定されたアイコン画像に関連する候補画像のリストを待受画面の上に重畳したポップアップ画像として表示して、そのポップアップ画像内に指定されたアイコン画像に関連する処理対象の候補画像のリストを表示する。したがって、ユーザは、待受画面から処理対象の候補画像のリストを直接選択して、所望の処理を迅速に実行させることができる。
【００４９】
なお、上記実施形態においては、システムＲＯＭ１５にあらかじめ記憶されている通信情報処理のプログラムを制御部１３が実行する装置の発明について説明したが、着脱自在のメモリカード７から読み込まれた通信情報処理のプログラム、又は、無線送受信部１１によってネットワークを介して外部のサーバーなどからダウンロードされた通信情報処理のプログラムを書き込み可能な不揮発性メモリなどで構成されたシステムＲＯＭにインストールし、その通信情報処理のプログラムを制御部１３が実行するような構成も可能である。この場合には、プログラムの発明を実現する。
【００５０】
すなわち、そのプログラムは、所定の表示手段において着信の待ち受け状態を示す待受画面にアイコン画像を表示する第１のステップと、表示手段に表示されているアイコン画像を操作に応じて指定する第２のステップと、第２のステップによって指定されたアイコン画像に関連する処理対象の候補画像のリストを表示手段に表示する第３のステップと、候補画像のリストにおける任意の候補画像を操作に応じて選択する第４のステップと、第４のステップによって選択された候補画像が操作に応じて決定された場合には当該選択された候補画像に対する処理を実行する第５のステップとを実行する。
【００５１】
また、このプログラムにおいて、第１のステップは、無線情報を受信したときに当該受信の内容に応じたアイコン画像を前記待受画面に表示する。さらに、第１のステップは、表示したアイコン画像における受信の内容のすべてに対する処理が実行されたときはそのアイコン画像を待受画面から消去する。
また、このプログラムにおいて、第１のステップは、表示指示の操作に応じて当該操作に係るアイコン画像を待受画面に表示し、消去指示の操作に応じて当該操作に係るアイコン画像を待受画面から消去する。
また、このプログラムにおいて、第３のステップは、第２のステップによって指定されたアイコン画像に関連する候補画像のリストを待受画面の上に重畳したポップアップ画像として表示して、当該ポップアップ画像内に指定されたアイコン画像に関連する処理対象の候補画像のリストを表示する。
【図面の簡単な説明】
【００５２】
【図１】本発明の各実施例における携帯電話の構成を示すブロック図。
【図２】本発明の実施形態における制御部によるメインルーチンのフローチャート。
【図３】図２に続くメインルーチンのフローチャート。
【図４】図２に続くメインルーチンのフローチャート。
【図５】図２に続くメインルーチンのフローチャート。
【図６】図５に続くメインルーチンのフローチャート。
【図７】図５におけるＥメール処理のフローチャート。
【図８】図５におけるＣメール処理のフローチャート。
【図９】図５における履歴処理のフローチャート。
【図１０】図５におけるアラーム処理のフローチャート。
【図１１】図５における伝言メッセージ処理のフローチャート。
【図１２】図４および図１０におけるアラーム編集処理のフローチャート。
【図１３】図７におけるＥメールＢＯＸ処理のフローチャート。
【図１４】表示部の待受画面においてショートカットのアイコン画像が表示された画面の図。
【図１５】表示部の待受画面においてピクトのアイコン画像が表示された画面の図。
【符号の説明】
【００５３】
１  携帯電話
２  アンテナ
３  音声発生用スピーカ
４  表示部
５  キー入力部
６  マイク
７  メモリカード
８  背面表示部
９  着信通知用スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８  着信報知用ドライバ
１９  表示用ドライバ
２０  メモリカード用ドライバ
５１  オフフックスイッチ
５２  オンフックスイッチ
８１  着信報知用ＬＥＤ
１３１  タイマ
【図１】
2005072945.tif 000003
【図２】
2005072945.tif 000004
【図３】
2005072945.tif 000005
【図４】
2005072945.tif 000006
【図５】
2005072945.tif 000007
【図６】
2005072945.tif 000008
【図７】
2005072945.tif 000009
【図８】
2005072945.tif 000010
【図９】
2005072945.tif 000011
【図１０】
2005072945.tif 000012
【図１１】
2005072945.tif 000013
【図１２】
2005072945.tif 000014
【図１３】
2005072945.tif 000015
【図１４】
2005072945.tif 000016
【図１５】
2005072945.tif 000017